(57)【要約】【課題】ユーザが望む充電時間帯に柔軟に対応して充電を行うことが可能な輪番充電装置を提供する。【解決手段】この輪番充電装置１００は、複数のコンセント差込口１２（１２ａ〜１２ｆ）を含むコンセント部１０と、複数のコンセント差込口１２に対して順番に充電用の電力を供給する制御を行う制御部６と、複数のコンセント差込口１２に対して順番に充電用の電力を供給する充電時間帯の予約設定の操作を受け付ける操作部５とを備え、制御部６は、操作部５への所定の操作に基づいて予約設定された充電時間帯において複数のコンセント差込口１２に対して順番に充電用の電力を供給する通常充電モードから、即座にコンセント差込口１２に対する充電用の電力の供給を開始する即時充電モードに切り換える制御を行うように構成されている。【選択図】図１
0003228538.tif 000002
【実用新案登録請求の範囲】
【請求項１】
複数のコンセント差込口を含むコンセント部と、
前記複数のコンセント差込口に対して順番に充電用の電力を供給する制御を行う制御部と、
前記複数のコンセント差込口に対して順番に充電用の電力を供給する充電時間帯の予約設定の操作を受け付ける操作部とを備え、
前記制御部は、前記操作部への所定の操作に基づいて予約設定された前記充電時間帯において前記複数のコンセント差込口に対して順番に充電用の電力を供給する通常充電モードから、即座に前記コンセント差込口に対する充電用の電力の供給を開始する即時充電モードに切り換える制御を行うように構成されている、輪番充電装置。
【請求項２】
前記コンセント部が設けられる第１筐体と、
前記制御部および前記操作部の両方が設けられる第２筐体とをさらに備え、
前記第２筐体には、前記第１筐体に対して着脱可能であり、前記第２筐体と前記第１筐体とを電気的に接続する電気ケーブルが一体的に設けられている、請求項１に記載の輪番充電装置。
【請求項３】
前記即時充電モードであることと、前記通常充電モードであることとを視覚的に識別可能な態様により表示する表示部をさらに備える、請求項１または２に記載の輪番充電装置。
【請求項４】
前記表示部は、現在の時間とともに現在の曜日を表示するように構成されている、請求項３に記載の輪番充電装置。
【請求項５】
前記操作部は、充電用の電力を供給する前記充電時間帯の前記予約設定を、各曜日に対して、１つずつのみ受け付けるように構成されている、請求項１〜４のいずれか１項に記載の輪番充電装置。
【請求項６】
現在の時刻情報、および、前記充電時間帯の予約情報を記憶する記憶部をさらに備え、
前記時刻情報は、現在の日付情報を含んではおらず、現在の曜日情報、および、現在の時間情報のみを含む、請求項４または５に記載の輪番充電装置。
【請求項７】
前記第２筐体には、商用電源から電力が供給されるように構成されており、
前記第２筐体に設けられ、現在の時刻情報、および、前記充電時間帯の予約情報を記憶する記憶部と、
前記第２筐体に設けられ、前記商用電源から前記第２筐体への電力供給を遮断した際に、前記記憶部に電力を供給して、前記記憶部に記憶された前記時刻情報、および、前記予約情報を保持するボタン型電池とをさらに備える、請求項２に記載の輪番充電装置。
【請求項８】
前記操作部は、押下されることにより、前記即時充電モードのトリガー信号を発信する即時充電ボタンを含み、
前記制御部は、前記操作部の押下により発信された前記トリガー信号を受信したことに基づいて、前記即時充電モードを開始する制御を行うように構成されている、請求項１〜７のいずれか１項に記載の輪番充電装置。
【請求項９】
前記操作部は、押下されることにより、前記通常充電モードによる充電途中において前記通常充電モードを停止する停止ボタンを含み、
前記制御部は、前記通常充電モードによる充電途中において前記停止ボタンが押下された後、前記即時充電ボタンが押下されることにより、前記通常充電モードから前記即時充電モードに切り換える制御を行うように構成されている、請求項８に記載の輪番充電装置。
【請求項１０】
前記制御部は、前記即時充電モードによる充電途中において、前記通常充電モードによる充電の開始時間になった場合には、前記通常充電モードによる充電を行わずに、前記即時充電モードによる充電を継続する制御を行うように構成されている、請求項１〜９のいずれか１項に記載の輪番充電装置。
【考案の詳細な説明】
【技術分野】
【０００１】
この考案は、輪番充電装置に関し、特に、複数のコンセント差込口を備えた輪番充電装置に関する。
【背景技術】
【０００２】
従来、複数のコンセント差込口を備えた輪番充電装置が知られている（たとえば、非特許文献１参照）。
【０００３】
上記非特許文献１には、複数のコンセント差込口を備えた輪番充電装置が開示されている。輪番充電装置は、複数のコンセント差込口が設けられたコンセント部と、コンセント部を駆動制御する操作制御部とを備えている。操作制御部は、ユーザからの充電時間の予約設定を受け付けるように構成されている。操作制御部は、予約設定された充電時間において、複数のコンセント差込口に対して充電用の電力を供給する制御を行うように構成されている。なお、輪番充電装置は、複数のタブレットや、複数のスマートフォンなどの充電に利用される。
【先行技術文献】
【非特許文献】
【０００４】
【非特許文献１】サンワサプライ株式会社の取扱説明書に掲載“タイマー付きタップ”、［ｏｎｌｉｎｅ］、［令和２年８月３日検索］、インターネット＜ＵＲＬ：ｈｔｔｐｓ：／／ｗｗｗ．ｓａｎｗａ．ｃｏ．ｊｐ／ｓｕｐｐｏｒｔ／ｓｅｔｓｕｍｅｉｓｙｏ／ｐｄｆ／Ｔ／ＴＡＰ−ＲＴ１.ｐｄｆ＞
【考案の概要】
【考案が解決しようとする課題】
【０００５】
しかしながら、上記非特許文献１の輪番充電装置では、操作制御部により予約設定された時間にのみ充電が行われるように構成されているため、ユーザが充電の予約設定を忘れていた場合などの充電が必要となる場合には、充電を開始するために、充電の開始時間などを設定する予約設定を行った上で、充電の開始時間まで待たなければならず、即座に充電を開始することができないという不都合がある。このため、ユーザが望む充電時間帯に柔軟に対応して充電を行うことができないという問題点がある。
【０００６】
この考案は、上記のような課題を解決するためになされたものであり、この考案の１つの目的は、ユーザが望む充電時間帯に柔軟に対応して充電を行うことが可能な輪番充電装置を提供することである。
【課題を解決するための手段】
【０００７】
この考案の一の局面による輪番充電装置は、複数のコンセント差込口を含むコンセント部と、複数のコンセント差込口に対して順番に充電用の電力を供給する制御を行う制御部と、複数のコンセント差込口に対して順番に充電用の電力を供給する充電時間帯の予約設定の操作を受け付ける操作部とを備え、制御部は、操作部への所定の操作に基づいて予約設定された充電時間帯において複数のコンセント差込口に対して順番に充電用の電力を供給する通常充電モードから、即座にコンセント差込口に対する充電用の電力の供給を開始する即時充電モードに切り換える制御を行うように構成されている。
【０００８】
この考案の一の局面による輪番充電装置では、上記のように、制御部を、操作部への所定の操作に基づいて予約設定された充電時間帯において複数のコンセント差込口に対して順番に充電用の電力を供給する通常充電モードから、即座にコンセント差込口に対する充電用の電力の供給を開始する即時充電モードに切り換える制御を行うように構成する。これによって、従来のように、通常充電モードにより予約設定された充電時間帯に充電を行うだけではなく、即時充電モードによりユーザが望むタイミングで即座に充電を行うこともできる。したがって、ユーザが望む充電時間帯に柔軟に対応して充電を行うことができる。また、予約設定の方法が分からないユーザであっても、即時充電モードでは開始時間の指定の操作などが不要となるため、容易に即時充電のための操作を行うことができる。
【０００９】
上記一の局面による輪番充電装置において、好ましくは、コンセント部が設けられる第１筐体と、制御部および操作部の両方が設けられる第２筐体とをさらに備え、第２筐体には、第１筐体に対して着脱可能であり、第２筐体と第１筐体とを電気的に接続する電気ケーブルが一体的に設けられている。このように構成すれば、第１筐体と、第２筐体および電気ケーブルとを分離させることができるので、輪番充電装置の設置や持ち運びなどを容易に行うことができる。また、第１筐体と、第２筐体および電気ケーブルとを分離させた状態で、輪番充電装置の設置や持ち運びなどの所定の作業を行うことができるので、所定の作業時において、電気ケーブルに折れ曲がりなどの負荷がかかるのを抑制することができる。
【００１０】
上記一の局面による輪番充電装置において、好ましくは、即時充電モードであることと、通常充電モードであることとを視覚的に識別可能な態様により表示する表示部をさらに備える。このように構成すれば、即時充電モードおよび通常充電モードのいずれであるかをユーザが容易に把握することができる。
【００１１】
この場合、好ましくは、表示部は、現在の時間とともに現在の曜日を表示するように構成されている。このように構成すれば、週単位で同様のカリキュラムが繰り返される教育現場などで、曜日を確認しながら予約設定などの操作を行うことが可能となり、利便性を向上させることができる。
【００１２】
上記一の局面による輪番充電装置において、好ましくは、操作部は、充電用の電力を供給する充電時間帯の予約設定を、各曜日に対して、１つずつのみ受け付けるように構成されている。このように構成すれば、同日の重複した予約設定を防止することができる。
【００１３】
上記表示部が現在の時間とともに現在の曜日を表示する構成において、好ましくは、現在の時刻情報、および、充電時間帯の予約情報を記憶する記憶部をさらに備え、時刻情報は、現在の日付情報を含んではおらず、現在の曜日情報、および、現在の時間情報のみを含む。このように構成すれば、週単位で同様のカリキュラムが繰り返される教育現場などで、現在の曜日情報、および、現在の時間情報と比較して、重要度の低い現在の日付情報を省くことができるので、表示部の表示態様を簡素化することができる。
【００１４】
上記第１筐体と第２筐体とを備える構成において、好ましくは、第２筐体には、商用電源から電力が供給されるように構成されており、第２筐体に設けられ、現在の時刻情報、および、充電時間帯の予約情報を記憶する記憶部と、第２筐体に設けられ、商用電源から第２筐体への電力供給を遮断した際に、記憶部に電力を供給して、記憶部に記憶された時刻情報、および、予約情報を保持するボタン型電池とをさらに備える。このように構成すれば、商用電源から切断された場合でも、ボタン型電池により、記憶部に記憶された時刻情報、および、予約情報を保持することができるので、長期休暇などの所定期間に商用電源から切断した場合でも、輪番充電装置の使用を再開する際に、改めて、時刻情報および予約情報を設定する手間を省くことができるとともに、ボタン型電池を用いることにより装置の大型化を抑制することができる。
【００１５】
上記一の局面による輪番充電装置において、好ましくは、操作部は、押下されることにより、即時充電モードのトリガー信号を発信する即時充電ボタンを含み、制御部は、操作部の押下により発信されたトリガー信号を受信したことに基づいて、即時充電モードを開始する制御を行うように構成されている。このように構成すれば、即時充電ボタンという専用のボタンにより、即時充電モードを開始することができるので、ユーザが即時充電モードを開始するための操作に迷うことがなく、容易に充電を開始させることができる。
【００１６】
この場合、好ましくは、操作部は、押下されることにより、通常充電モードによる充電途中において通常充電モードを停止する停止ボタンを含み、制御部は、通常充電モードによる充電途中において停止ボタンが押下された後、即時充電ボタンが押下されることにより、通常充電モードから即時充電モードに切り換える制御を行うように構成されている。このように構成すれば、停止ボタンにより確実に通常充電モードを終了した後に、即時充電ボタンにより即時充電モードを開始することができる。
【００１７】
上記一の局面による輪番充電装置において、好ましくは、制御部は、即時充電モードによる充電途中において、通常充電モードによる充電の開始時間になった場合には、通常充電モードによる充電を行わずに、即時充電モードによる充電を継続する制御を行うように構成されている。このように構成すれば、即時に充電を行いたいというユーザの意思を尊重して、通常充電モードよりも即時充電モードを優先して充電を行うことができる。
【考案の効果】
【００１８】
本考案によれば、ユーザが望む充電時間帯に柔軟に対応して充電を行うことができる。
【図面の簡単な説明】
【００１９】
【図１】本考案の実施形態による輪番充電装置の全体構成を示した図である。
【図２】本考案の実施形態による輪番充電装置を収納ボックスに設置した状態を示した図である。
【図３】本考案の実施形態による輪番充電装置の表示部の通常充電モードにおける表示態様を示した図である。
【図４】本考案の実施形態による輪番充電装置の表示部の即時充電モードにおける表示態様を示した図である。
【考案を実施するための形態】
【００２０】
以下、実施形態を図面に基づいて説明する。
【００２１】
（輪番充電装置の構成）
図１〜図４を参照して、輪番充電装置１００について説明する。
【００２２】
図１に示す輪番充電装置１００は、たとえば、小中学校を含む教育現場などで使用される複数の情報端末Ｉの充電に用いられる装置である。輪番充電装置１００は、複数の情報端末Ｉに対して輪番で充電用の電力を供給するように構成されている。これによって、輪番充電装置１００は、充電に要する電力（電力源から出力される電力）を分散して、電力源に過剰な負荷がかかるのを抑制するように構成されている。要するに、輪番充電装置１００は、電力源から出力される瞬時の最大電力を抑制することができる。なお、電力源とは、たとえば商用電源Ｐである。また、情報端末Ｉとは、タブレット端末や、スマートフォン、ノートパソコンなどの各種端末を含んでいる。
【００２３】
一例ではあるが、輪番充電装置１００は、小中学校などにおいて１クラス全員分の情報端末Ｉに対して、同時に充電用の電力を供給して充電を行うのではなく、数人分の情報端末Ｉ毎に順番に充電を行うように構成されている。
【００２４】
輪番充電装置１００は、コンセント装置１００ａと、制御装置１００ｂとを備えている。コンセント装置１００ａは、電源タップ装置Ｔが複数（６つ）接続された状態で使用される。電源タップ装置Ｔは、複数（８つ）のコンセント差込口Ｔ１を有している。複数（８つ）の電源タップ装置Ｔの各コンセント差込口Ｔ１には、充電対象である情報端末Ｉが接続される。
【００２５】
図２に示すように、輪番充電装置１００は、複数の情報端末Ｉを収納可能な収納ボックスＢに設置された状態で使用される。複数の情報端末Ｉは、収納ボックスＢの所定の位置に収納されるだけで、輪番充電装置１００と接続されるように構成されていてもよい。収納ボックスＢは、輪番充電装置１００および複数の情報端末Ｉをまとめて移動させることが可能である。
【００２６】
図１に示す本実施形態の輪番充電装置１００（制御部６）は、制御装置１００ｂの後述する操作部５への所定の操作に基づいて、通常充電モードから、即時（クイック）充電モードに切り換える制御を行うように構成されている。
【００２７】
「通常充電モード」とは、操作部５を介して予約設定された充電時間帯においてコンセント装置１００ａの後述する複数（６つ）のコンセント差込口１２（１２ａ〜１２ｆ）に対して１つずつ順番に充電用の電力を供給する充電モードである。すなわち、「通常充電モード」とは、操作部５を操作してから充電が開始されるまでに所定の待ち時間が発生する充電モードである。「通常充電モード」により、輪番充電装置１００（制御部６）は、ユーザが輪番充電装置１００の傍にいない時間帯において、情報端末Ｉの充電を開始することが可能である。
【００２８】
「即時充電モード」とは、即座にコンセント差込口１２に対する充電用の電力の供給を開始する充電モードである。すなわち、即時充電モードとは、操作部５を操作してから充電が開始されるまでに待ち時間が発生しない充電モードである。「即時充電モード」は、ユーザが望むタイミングで即座に充電を行いたい場合や、「通常充電モード」により充電することを忘れていた場合などに活用される。なお、「即時充電モード」においても、「通常充電モード」と同様に、複数のコンセント差込口１２に対して１つずつ順番に充電用の電力が供給される。
【００２９】
輪番充電装置１００は、操作部５を介して予約設定された通常充電モードの充電時間帯を、制御装置１００ｂの後述する記憶部４ａに記憶するように構成され、毎週同じ曜日の同じ時間帯を、充電時間帯として充電を行うように構成されている。
【００３０】
（コンセント装置の構成）
コンセント装置１００ａは、第１筐体１と、コンセント部１０とを備えている。コンセント部１０は、第１筐体１に設けられている。
【００３１】
コンセント部１０は、商用電源Ｐに接続されるプラグ１１と、複数（６つ）のコンセント差込口１２（１２ａ〜１２ｆ）と、複数のコンセント差込口１２に対して１つずつ設けられる複数（６つ）の切換スイッチ１３（１３ａ〜１３ｆ）とを含んでいる。
【００３２】
切換スイッチ１３は、オンオフを切り換える切換スイッチであり、オン状態ではコンセント差込口１２から電力を出力可能な通電状態となり、オフ状態ではコンセント差込口１２から電力を出力できない非通電状態となる。切換スイッチ１３は、制御装置１００ｂの後述する制御部６からの切換信号Ｋによって、オンオフが切り換えられる。
【００３３】
具体的には、制御部６からの切換信号Ｋには、切換スイッチ１３ａのみを閉じて（オンにして）コンセント差込口１２ａのみから電力を出力可能な通電状態にする信号と、切換スイッチ１３ｂのみを閉じて（オンにして）コンセント差込口１２ｂのみから電力を出力可能な通電状態にする信号と、切換スイッチ１３ｃのみを閉じて（オンにして）コンセント差込口１２ｃのみから電力を出力可能な通電状態にする信号と、切換スイッチ１３ｄのみを閉じて（オンにして）コンセント差込口１２ｄのみから電力を出力可能な通電状態にする信号と、切換スイッチ１３ｅのみを閉じて（オンにして）コンセント差込口１２ｅのみから電力を出力可能な通電状態にする信号と、切換スイッチ１３ｆのみを閉じてコンセント差込口１２ｆのみから電力を出力可能な通電状態にする信号との５種類の信号がある。
【００３４】
すなわち、輪番充電装置１００は、複数のコンセント差込口１２から複数の電源タップ装置Ｔに対して同時に電力を出力することはなく、１つのコンセント差込口１２のみから１つの電源タップ装置Ｔに対して充電用の電力を出力するように構成されている。これは上記説明したように、輪番充電装置１００により充電を行う際に、電力源から出力される瞬時の最大電力を抑制するためである。
【００３５】
（制御装置の構成）
制御装置１００ｂは、第２筐体２と、表示部３と、記憶部４ａと、ボタン型電池４ｂと、複数（５つ）の押下式のボタン（５０〜５４）を含む操作部５と、制御部６とを備えている。
【００３６】
表示部３、記憶部４ａ、ボタン型電池４ｂ、操作部５および制御部６は、第２筐体２に設けられている。第２筐体２には、第１筐体１に対して着脱可能であり、第２筐体２と第１筐体１とを電気的に接続する電気ケーブルＣが一体的に設けられている。
【００３７】
電気ケーブルＣには、制御装置１００ｂを駆動させるために、商用電源Ｐからの電力をコンセント装置１００ａから制御装置１００ｂに供給する「電力供給線」としての機能がある。すなわち、制御装置１００ｂ（第２筐体２）には、コンセント装置１００ａおよび電気ケーブルＣを介して商用電源Ｐから電力が供給される。
【００３８】
また、電気ケーブルＣには、上記の通り、制御部６からコンセント装置１００ａに切換スイッチ１３のオンオフを切り換える切換信号Ｋを送信する「信号送信線」としての機能もある。
【００３９】
〈表示部の構成〉
図１、図３および図４に示す表示部３は、輪番で充電を行うために必要となる各種情報を表示するように構成されている。表示部３は、たとえば、液晶ディスプレイにより構成されている。
【００４０】
具体的な一例ではあるが、表示部３は、表示部３の上段の左方部分３０に、現在の曜日を表示するように構成されている。また、表示部３は、現在の曜日とともに、表示部３の上段の中央部分３１に、操作部５を介してユーザにより設定された「現在の時間」を表示するように構成されている。
【００４１】
また、表示部３は、表示部３の上段の右方部分３２に予約設定された充電時間帯の開始時刻を表示するように構成されている。
【００４２】
また、表示部３は、表示部３の下段の左方部分３３に予約設定された充電プログラムの充電内容を表示するように構成されている。例えば、第１の充電プログラムでは「１５×８」（各コンセント差込口１２ａ〜１２ｆからの充電用の電力の出力を順番に１５分ずつ行い、これを８回繰り返し実行する）と表示し、第２の充電プログラムでは「３０×４」（各コンセント差込口１２ａ〜１２ｆからの充電用の電力の出力を順番に３０分ずつ行い、これを４回繰り返し実行する）と表示し、第３の充電プログラムでは「４５×３」（各コンセント差込口１２ａ〜１２ｆからの充電用の電力の出力を順番に４５分ずつ行い、これを３回繰り返し実行する）と表示し、第４の充電プログラムでは「６０×２」（各コンセント差込口１２ａ〜１２ｆからの充電用の電力の出力を順番に６０分ずつ行い、これを２回繰り返し実行する）と表示し、第５の充電プログラムでは「１２０×１」（各コンセント差込口１２ａ〜１２ｆからの充電用の電力の出力を順番に１２０分ずつ行い、これを１回のみ実行する）と表示し、第６の充電プログラムでは「１８０×１」（各コンセント差込口１２ａ〜１２ｆからの充電用の電力の出力を順番に１８０分ずつ行い、これを１回のみ実行する）と表示する。各充電プログラムの詳細については後述する。なお、上記の第１〜第６の充電プログラムは、通常充電モードにおける充電プログラムである。
【００４３】
また、表示部３は、表示部３の下段の中央部分３４に、上記の第１〜第６の充電プログラムにより充電されている途中において、現在の充電繰り返し回数（輪番回数）を表示するように構成されている。たとえば、現在の充電繰り返し回数が３回目であるならば、「―３―」と表示する。
【００４４】
また、表示部３は、表示部３の下段の右方部分３５に、上記の第１〜第６の充電プログラムのいずれが予約設定されたのかを数字（１〜６）により表示するように構成されている。たとえば、第１の充電プログラムが予約設定されているならば、「１」と表示するように構成されている。
【００４５】
また、表示部３は、即時充電モードであることと、通常充電モードであることとを視覚的に識別可能な態様により表示するように構成されている。一例ではあるが、表示部３は、即時充電モードでは「クイック」という文字を表示するように構成されており、通常充電モードでは「クイック」という文字を表示しないように構成されている。
【００４６】
また、表示部３は、操作部５をユーザからの操作を受け付けない状態（チャイルドロック状態）である場合に、表示画面中に「Ｌ」というＬＯＣＫの頭文字を表示するように構成されている。
【００４７】
〈記憶部およびボタン型電池の構成〉
記憶部４ａは、ユーザによって操作部５を介して設定された現在の時刻情報（時間情報および曜日情報）、および、ユーザによって操作部５を介して設定された通常充電モードの充電時間帯の予約情報を記憶するメモリである。なお、記憶部４ａに記憶される時刻情報は、現在の日付情報を含んではおらず、ユーザによって操作部５を介して設定された現在の曜日情報、および、ユーザによって操作部５を介して設定された現在の時間情報のみを含んでいる。すなわち、輪番充電装置１００には、日付という概念がなく、日付を設定することができない。
【００４８】
記憶部４ａは、電力の供給が途絶えた場合には、記憶されている情報が消去される揮発性のメモリである。輪番充電装置１００は、電気ケーブルＣを介して、商用電源Ｐから記憶部４ａに電力を供給するように構成されている。
【００４９】
ボタン型電池４ｂは、「商用電源Ｐから第２筐体２（第１筐体１）への電力供給が遮断された際」に、記憶部４ａに電力を供給して、記憶部４ａに記憶された時刻情報、および、予約情報を保持するように構成されている。すなわち、商用電源Ｐから第２筐体２への電力供給を遮断した際に記憶部４ａに記憶された各種情報が消去されることがないように、ボタン型電池４ｂは、商用電源Ｐに代わって記憶部４ａに電力を供給して、記憶部４ａに記憶された各種の情報を保持するように構成されている。この際、ボタン型電池４ｂの消費電力はごく僅かであり、ボタン型電池４ｂは、数ヵ月から数年にわたって、記憶部４ａに記憶された各種の情報を保持することが可能である。
【００５０】
なお、上記の「商用電源Ｐから第２筐体２（第１筐体１）への電力供給が遮断された際」とは、たとえば、長期休暇などにコンセント部１０のプラグ１１が抜かれて、商用電源Ｐから遮断された場合などである。
【００５１】
〈操作部の構成〉
図１に示すように、操作部５は、複数（５つ）の押下式のボタン（５０〜５４）を含んでいる。なお、ボタン（５０〜５４）は、表示部３の画面上に表示されるタッチパネル式のボタンなど、押下式とは異なる方式のボタンであってもよい。操作部５は、たとえば、複数のコンセント差込口１２に対して順番に充電用の電力を供給する充電時間帯の予約設定の操作を受け付ける機能を有している。
【００５２】
操作部５は、通常充電モードにおいて、充電用の電力を供給する充電時間帯の予約設定を、各曜日に対して、１つずつのみ受け付けるように構成されている。すなわち、輪番充電装置１００は、同日に複数の予約設定が重複してなされることがない。
【００５３】
複数（５つ）のボタンは、選択ボタン５０および５１と、予約設定時などにおいて選択したい所定の項目を確定する際などに押下されるＯＫボタン５２と、選択した所定の項目をキャンセルする際などに押下されるキャンセルボタン５３と、通常充電モードから即時充電モードへの切り換える際などに押下されるクイックリセットボタン５４とを有している。クイックリセットボタン５４は、実用新案登録請求の範囲の「即時充電ボタン」および「停止ボタン」の一例である。
【００５４】
選択ボタン５０には、「ＬＥＦＴ」という文字が近傍に付されている。選択ボタン５１には、「ＲＩＧＨＴ」という文字が近傍に付されている。たとえば、輪番充電装置１００は、「時計（曜日）設定」の際に、選択ボタン５０および５１が押下される毎に、表示部３に表示する曜日（ＭＯＮ、ＴＵＥ、ＷＥＤ、ＴＨＵ、ＦＲＩ、ＳＡＴ、ＳＵＮ）を順番に切り換えるように構成されている。また、輪番充電装置１００は、「時計（時間）設定」の際に、選択ボタン５０および５１が押下される毎に、表示部３に表示する時間を順番に切り換えるように構成されている。
【００５５】
ここで、輪番充電装置１００は、操作部５への所定の操作により、原則、操作部５をユーザからの操作を受け付けない状態にすること（チャイルドロックすること）が可能である。たとえば、選択ボタン５０および５１が同時に押下された状態が所定時間（たとえば２〜３秒程度）以上継続された場合に、輪番充電装置１００は、操作部５をチャイルドロックする。その後、選択ボタン５０および５１が同時に押下された状態が所定時間以上継続された場合に、輪番充電装置１００は、操作部５のチャイルドロックを解除する。なお、チャイルドロックは、他の操作によって行われるように構成されていてもよい。
【００５６】
ＯＫボタン５２には、「ＯＫ」という文字が近傍に付されている。たとえば、輪番充電装置１００は、「時計（曜日、時間）設定」の際に、ＯＫボタン５２が押下されることにより、表示部３に表示された曜日（ＭＯＮ、ＴＵＥ、ＷＥＤ、ＴＨＵ、ＦＲＩ、ＳＡＴ、ＳＵＮ）や、時間を確定するように構成されている。
【００５７】
また、輪番充電装置１００は、充電時間帯の「予約設定」の際に、ＯＫボタン５２が押下されることにより、表示部３に表示された選択されている充電プログラムや、充電の開始時間を確定するように構成されている。
【００５８】
上記の充電プログラムとは、輪番充電を行うための継続時間や、輪番の繰り返し回数などに関するプログラムである。一例ではあるが、本実施形態では、６種類の充電プログラムがある。以下、６種類の充電プログラムについて簡単に説明する。
【００５９】
第１の充電プログラムは、各コンセント差込口１２から１５分間ずつ充電用の電力を順番に出力することを１単位として、この１単位を８回繰り返し実行するプログラムである。具体的には、コンセント差込口１２ａ、１２ｂ、１２ｃ、１２ｄ、１２ｅおよび１２ｆの順に、１５分間ずつ充電用の電力を出力することを１単位として、この１単位を８回繰り返し実行するプログラムである。したがって、コンセント差込口１２が６つある場合には、一度の第１の充電プログラムによる充電に要する総充電時間は、約７２０分（６つ×１５分×８回）となる。
【００６０】
なお、第１の充電プログラムによる充電が実行されている場合、表示部３には、第１の充電プログラムが実行中であることを示すために、数字の「１」が点灯した状態で表示される。第１の充電プログラムによる充電が実行されている場合、１単位の繰り返し回数が、１〜８回のうちの何回目であるかが表示される。
【００６１】
第２の充電プログラムは、各コンセント差込口１２から３０分間ずつ充電用の電力を順番に出力することを１単位として、この１単位を４回繰り返し実行するプログラムである。具体的には、コンセント差込口１２ａ、１２ｂ、１２ｃ、１２ｄ、１２ｅおよび１２ｆの順に、３０分間ずつ充電用の電力を出力することを１単位として、この１単位を４回繰り返し実行するプログラムである。したがって、コンセント差込口１２が６つある場合には、一度の第２の充電プログラムによる充電に要する総充電時間は、約７２０分（６つ×３０分×４回）となる。
【００６２】
なお、第２の充電プログラムによる充電が実行されている場合、表示部３には、第２の充電プログラムが実行中であることを示すために、数字の「２」が点灯した状態で表示される。第２の充電プログラムによる充電が実行されている場合、１単位の繰り返し回数が、１〜４回のうちの何回目であるかが表示される。
【００６３】
第３の充電プログラムは、各コンセント差込口１２から４５分間ずつ充電用の電力を順番に出力することを１単位として、この１単位を３回繰り返し実行するプログラムである。具体的には、コンセント差込口１２ａ、１２ｂ、１２ｃ、１２ｄ、１２ｅおよび１２ｆの順に、４５分間ずつ充電用の電力を出力することを１単位として、この１単位を３回繰り返し実行するプログラムである。したがって、コンセント差込口１２が６つある場合には、一度の第３の充電プログラムによる充電に要する総充電時間は、約８１０分（６つ×４５分×３回）となる。
【００６４】
なお、第３の充電プログラムによる充電が実行されている場合、表示部３には、第３の充電プログラムが実行中であることを示すために、数字の「３」が点灯した状態で表示される。第３の充電プログラムによる充電が実行されている場合、１単位の繰り返し回数が、１〜３回のうちの何回目であるかが表示される。
【００６５】
第４の充電プログラムは、各コンセント差込口１２から６０分間ずつ充電用の電力を順番に出力することを１単位として、この１単位を２回繰り返し実行するプログラムである。具体的には、コンセント差込口１２ａ、１２ｂ、１２ｃ、１２ｄ、１２ｅおよび１２ｆの順に、６０分間ずつ充電用の電力を出力することを１単位として、この１単位を２回繰り返し実行するプログラムである。したがって、コンセント差込口１２が６つある場合には、一度の第４の充電プログラムによる充電に要する総充電時間は、約７２０分（６つ×６０分×２回）となる。
【００６６】
なお、第４の充電プログラムによる充電が実行されている場合、表示部３には、第４の充電プログラムが実行中であることを示すために、数字の「４」が点灯した状態で表示される。第４の充電プログラムによる充電が実行されている場合、１単位の繰り返し回数が、１〜２回のうちの何回目であるかが表示される。
【００６７】
第５の充電プログラムは、各コンセント差込口１２から１２０分間ずつ充電用の電力を順番に出力することを１単位として、この１単位を１回のみ実行するプログラムである。具体的には、コンセント差込口１２ａ、１２ｂ、１２ｃ、１２ｄ、１２ｅおよび１２ｆの順に、１２０分間ずつ充電用の電力を出力することを１単位として、この１単位を１回のみ実行するプログラムである。したがって、コンセント差込口１２が６つある場合には、一度の第５の充電プログラムによる充電に要する総充電時間は、約７２０分（６つ×１２０分×１回）となる。
【００６８】
なお、第５の充電プログラムによる充電が実行されている場合、表示部３には、第５の充電プログラムが実行中であることを示すために、数字の「５」が点灯した状態で表示される。第５の充電プログラムによる充電が実行されている場合、１単位の繰り返し回数が、１回目であることが表示される。
【００６９】
第６の充電プログラムは、各コンセント差込口１２から１８０分間ずつ充電用の電力を順番に出力することを１単位として、この１単位を１回のみ実行するプログラムである。具体的には、コンセント差込口１２ａ、１２ｂ、１２ｃ、１２ｄ、１２ｅおよび１２ｆの順に、１８０分間ずつ充電用の電力を出力することを１単位として、この１単位を１回のみ実行するプログラムである。したがって、コンセント差込口１２が６つある場合には、一度の第６の充電プログラムによる充電に要する総充電時間は、約１０８０分（６つ×１８０分×１回）となる。
【００７０】
なお、第６の充電プログラムによる充電が実行されている場合、表示部３には、第６の充電プログラムが実行中であることを示すために、数字の「６」が点灯した状態で表示される。第６の充電プログラムによる充電が実行されている場合、１単位の繰り返し回数が、１回目であることが表示される。
【００７１】
クイックリセットボタン５４には、「クイック／リセット」という文字が近傍に付されている。たとえば、輪番充電装置１００は、通常充電モードにおいて、予約設定された充電時間帯には至っていない充電待ちの状態で、クイックリセットボタン５４が押下されることにより、即時充電モードを開始（即座に充電を開始）するように構成されている。すなわち、クイックリセットボタン５４は、押下されることにより、即時充電モードのトリガー信号を制御部６に発信するように構成されている。
【００７２】
なお、即時充電モードは、上記の通常充電モードの「第１の充電プログラム」と同内容の充電プログラムにより充電を実行する。すなわち、即時充電モードは、各コンセント差込口１２から１５分間ずつ充電用の電力を順番に出力することを１単位として、この１単位を８回繰り返し実行するプログラムである。
【００７３】
また、輪番充電装置１００は、即時充電モードにより充電が行われている状態で、クイックリセットボタン５４が押下されることにより、即時充電モードを停止（即座に充電を停止）するように構成されている。なお、輪番充電装置は、キャンセルボタンが押下されることにより、即時充電モードを停止するように構成されていてもよい。
【００７４】
また、輪番充電装置１００は、通常充電モードにおいて、予約設定された充電時間帯に至り充電が行われている状態で、クイックリセットボタン５４が押下されることにより、通常充電モードを停止するように構成されている。すなわち、クイックリセットボタン５４は、押下されることにより、通常充電モードによる充電途中において通常充電モードを停止するトリガー信号を制御部６に発信するように構成されている。そして、輪番充電装置１００は、通常充電モードを停止した状態で、クイックリセットボタン５４が押下されることにより、即時充電モードを開始（即座に充電を開始）するように構成されている。
【００７５】
〈制御部の構成〉
制御部６は、複数のコンセント差込口１２に対して順番に充電用の電力を供給する制御を行うように構成されている。制御部６は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、および、ＲＡＭ（Ｒａｎｄｏｍ  Ａｃｃｅｓｓ  Ｍｅｍｏｒｙ）などを含んでいる。
【００７６】
また、制御部６は、操作部５のクイックリセットボタン５４の押下により発信されたトリガー信号を受信したことに基づいて、即時充電モードを開始する制御を行うように構成されている。
【００７７】
また、制御部６は、通常充電モードによる充電途中において操作部５のクイックリセットボタン５４が押下されて通常充電モードが停止された後、クイックリセットボタン５４が押下されることにより、通常充電モードから即時充電モードに切り換える制御を行うように構成されている。
【００７８】
また、制御部６は、即時充電モードによる充電途中において、通常充電モードによる充電の開始時間になった場合には、通常充電モードによる充電を行わずに、即時充電モードによる充電を継続する制御を行うように構成されている。すなわち、制御部６は、通常充電モードによる充電よりも、即時充電モードによる充電を優先して行うように構成されている。
【００７９】
（通常充電モードの予約設定方法）
通常充電モードの予約設定方法（手順）について以下順に説明する。なお、通常充電モードの予約設定の前提として、現在の時間および曜日が設定されていることが必要である。
【００８０】
まず、通常充電モードの設定では、「月曜日」の設定から開始される。「月曜日」の設定では、充電の開始時間の設定と、第１〜第６充電プログラムのいずれの充電プログラムにより充電を行うかの設定（選択）とが行われる。これのような設定が、曜日ごとに順に行われる。
【００８１】
その上で、曜日ごとに、設定した内容で実際に充電を行うか否かの設定をすることができる。すなわち、「充電ＯＮ」または「充電ＯＦＦ」を曜日ごとに設定することができる。これによって、祝日などの一週間の中で平日に発生する休日に対して、予約設定した内容を消去することなく対応することができる。
【００８２】
（本実施形態の効果）
本実施形態では、以下のような効果を得ることができる。
【００８３】
本実施形態では、上記のように、制御部６を、操作部５への所定の操作に基づいて予約設定された充電時間帯において複数のコンセント差込口１２（１２ａ〜１２ｆ）に対して順番に充電用の電力を供給する通常充電モードから、即座にコンセント差込口１２（１２ａ〜１２ｆ）に対する充電用の電力の供給を開始する即時充電モードに切り換える制御を行うように構成する。これによって、従来のように、通常充電モードにより予約設定された充電時間帯に充電を行うだけではなく、即時充電モードによりユーザが望むタイミングで即座に充電を行うこともできる。したがって、ユーザが望む充電時間帯に柔軟に対応して充電を行うことができる。また、予約設定の方法が分からないユーザであっても、即時充電モードでは開始時間の指定の操作などが不要となるため、容易に即時充電のための操作を行うことができる。
【００８４】
本実施形態では、上記のように、コンセント部１０が設けられる第１筐体１と、制御部６および操作部５の両方が設けられる第２筐体２とをさらに備え、第２筐体２には、第１筐体１に対して着脱可能であり、第２筐体２と第１筐体１とを電気的に接続する電気ケーブルＣが一体的に設けられている。このように構成すれば、第１筐体１と、第２筐体２および電気ケーブルＣとを分離させることができるので、輪番充電装置１００の設置や持ち運びなどを容易に行うことができる。また、第１筐体１と、第２筐体２および電気ケーブルＣとを分離させた状態で、輪番充電装置１００の設置や持ち運びなどの所定の作業を行うことができるので、所定の作業時において、電気ケーブルＣに折れ曲がりなどの負荷がかかるのを抑制することができる。
【００８５】
本実施形態では、上記のように、即時充電モードであることと、通常充電モードであることとを視覚的に識別可能な態様により表示する表示部３をさらに備える。これによって、即時充電モードおよび通常充電モードのいずれであるかをユーザが容易に把握することができる。
【００８６】
本実施形態では、上記のように、表示部３は、現在の時間とともに現在の曜日を表示するように構成されている。これによって、週単位で同様のカリキュラムが繰り返される教育現場などで、曜日を確認しながら予約設定などの操作を行うことが可能となり、利便性を向上させることができる。
【００８７】
本実施形態では、上記のように、操作部５は、充電用の電力を供給する充電時間帯の予約設定を、各曜日に対して、１つずつのみ受け付けるように構成されている。これによって、同日の重複した予約設定を防止することができる。
【００８８】
本実施形態では、上記のように、現在の時刻情報、および、充電時間帯の予約情報を記憶する記憶部４ａをさらに備え、時刻情報は、現在の日付情報を含んではおらず、現在の曜日情報、および、現在の時間情報のみを含む。これによって、週単位で同様のカリキュラムが繰り返される教育現場などで、現在の曜日情報、および、現在の時間情報と比較して、重要度の低い現在の日付情報を省くことができるので、表示部３の表示態様を簡素化することができる。
【００８９】
本実施形態では、上記のように、第２筐体２には、商用電源Ｐから電力が供給されるように構成されており、第２筐体２に設けられ、現在の時刻情報、および、充電時間帯の予約情報を記憶する記憶部４ａと、第２筐体２に設けられ、商用電源Ｐから第２筐体２への電力供給を遮断した際に、記憶部４ａに電力を供給して、記憶部４ａに記憶された時刻情報、および、予約情報を保持するボタン型電池４ｂとをさらに備える。これによって、商用電源Ｐから切断された場合でも、ボタン型電池４ｂにより、記憶部４ａに記憶された時刻情報、および、予約情報を保持することができるので、長期休暇などの所定期間に商用電源Ｐから切断した場合でも、輪番充電装置１００の使用を再開する際に、改めて、時刻情報および予約情報を設定する手間を省くことができるとともに、ボタン型電池４ｂを用いることにより装置の大型化を抑制することができる。
【００９０】
本実施形態では、上記のように、操作部５は、押下されることにより、即時充電モードのトリガー信号を発信するクイックリセットボタン５４を含み、制御部６は、操作部５の押下により発信されたトリガー信号を受信したことに基づいて、即時充電モードを開始する制御を行うように構成されている。これによって、クイックリセットボタン５４という専用のボタンにより、即時充電モードを開始することができるので、ユーザが即時充電モードを開始するための操作に迷うことがなく、容易に充電を開始させることができる。
【００９１】
本実施形態では、上記のように、操作部５は、押下されることにより、通常充電モードによる充電途中において通常充電モードを停止するクイックリセットボタン５４を含み、制御部６は、通常充電モードによる充電途中においてクイックリセットボタン５４が押下された後、（再び）クイックリセットボタン５４が押下されることにより、通常充電モードから即時充電モードに切り換える制御を行うように構成されている。これによって、クイックリセットボタン５４により確実に通常充電モードを終了した後に、クイックリセットボタン５４により即時充電モードを開始することができる。なお、通常充電モードを停止させるボタンは、クイックリセットボタン５４とは異なるボタンとしてもよい。
【００９２】
本実施形態では、上記のように、制御部６は、即時充電モードによる充電途中において、通常充電モードによる充電の開始時間になった場合には、通常充電モードによる充電を行わずに、即時充電モードによる充電を継続する制御を行うように構成されている。これによって、即時に充電を行いたいというユーザの意思を尊重して、通常充電モードよりも即時充電モードを優先して充電を行うことができる。
【００９３】
（変形例）
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更（変形例）が含まれる。
【００９４】
たとえば、上記実施形態では、コンセント装置が６つのコンセント差込口を有する例を示したが、本考案はこれに限られない。本考案では、コンセント装置が１〜５つまたは７つ以上のコンセント差込口を有していてもよい。
【００９５】
また、上記実施形態では、通常充電モードに６種類の充電プログラムがある例を示したが、本考案はこれに限られない。本考案では、通常充電モードに２〜５種類または７種類以上の充電プログラムがあってもよい。
【００９６】
また、上記実施形態では、第２筐体と電気ケーブルとが一体である例を示したが、本考案はこれに限られない。本考案では、第２筐体と電気ケーブルとが別体であってもよい。
【００９７】
また、上記実施形態では、第１筐体と電気ケーブルとが別体である例を示したが、本考案はこれに限られない。本考案では、第１筐体と電気ケーブルとが一体であってもよい。
【００９８】
また、上記実施形態では、ボタン型電池を備える例を示したが、本考案はこれに限られない。本考案では、単三形電池などのボタン型電池とは異なる形状の電池を備えていてもよい。
【００９９】
また、上記実施形態では、通常充電モードによる充電途中である場合には、本考案の停止ボタンにより通常充電モードによる充電を停止させた上で（停止操作を行った上で）、クイックリセットボタンを押下することにより即時充電モードを開始するように構成した例を示したが、本考案はこれに限られない。本考案では、通常充電モードによる充電途中である場合に、停止ボタンを押下することなく（停止操作を行うことなく）、クイックリセットボタンを押下することにより即座に即時充電モードを開始するように構成してもよい。
【０１００】
また、上記実施形態では、輪番充電装置が第１筐体と第２筐体との２つの筐体を有する例を示したが、本考案はこれに限られない。本考案では、輪番充電装置が１つまたは３つ以上の筐体を有していてもよい。
【０１０１】
また、上記実施形態では、表示部と操作部とが共通の筐体（第２筐体）に設けられている例を示したが、本考案はこれに限られない。本考案では、表示部と操作部とが異なる筐体に設けられていてもよい。
【符号の説明】
【０１０２】
１  第１筐体
２  第２筐体
３  表示部
４ａ  記憶部
４ｂ  ボタン型電池
５  操作部
６  制御部
１０  コンセント部
１２、１２ａ、１２ｂ、１２ｃ、１２ｄ、１２ｅ、１２ｆ  コンセント差込口
５４  クイックリセットボタン（即時充電ボタン、停止ボタン）
１００  輪番充電装置
Ｃ  電気ケーブル
Ｐ  商用電源
【図１】
0003228538.tif 000003
【図２】
0003228538.tif 000004
【図３】
0003228538.tif 000005
【図４】
0003228538.tif 000006